(57)【要約】【課題】ハンドレール側からハンドレールガイドに大きな押圧力が発生しても、ハンドレールに異常磨耗を生じることがないようにした乗客コンベアを提供する。【解決手段】ターミナル部に近傍に、ハンドレール３からハンドレールガイド７側に対して定常時よりも大きな押し圧力が作用したときに変位する変位部８を設け、押し圧力による変位部８の変位によって定常時よりも大きな押し圧力を吸収してハンドレール７の異常摩耗を防止した。【選択図】図２
2018012552.tif 000002
【特許請求の範囲】
【請求項１】
建造物に設置される支持フレームと、上下階の乗降口間で前記支持フレーム内を循環移動する無端状に連結された複数のステップと、前記各ステップにおける幅方向の両側に配置された一対の欄干パネルと、前記各欄干パネルの周縁に設けたハンドレールガイドと、前記ハンドレールガイドに沿って配置されて前記ステップと同期して移動するハンドレールを備えた乗客コンベアにおいて、
前記ハンドレールガイドの折り返し部であるターミナル部近傍に、前記ハンドレールからハンドレールガイドに対して定常時よりも大きな押し圧力が作用したときに変位する変位部を設け、前記押し圧力による前記変位部の変位によって前記定常時よりも大きな押し圧力を吸収することを特徴とする乗客コンベア。
【請求項２】
前記欄干パネルは、前記ハンドレールのターミナル部に位置した曲面部を水平方向に移動可能な非固定側欄干パネルと、前記非固定側欄干パネルの前記反折り返し側に位置した部分を固定構造とした固定側欄干パネルとに分割し、前記ハンドレールガイドも、非固定側欄干パネルおよび固定側欄干パネルに合わせて非固定側ハンドレールガイドと固定側ハンドレールガイドとに分割し、これら各分割部の対向部間に、前記変位部を配置したことを特徴とする請求項１に記載の乗客コンベア。
【請求項３】
前記非固定側欄干パネルの近傍に、前記変位部の変位時における前記非固定側欄干パネルの水平方向移動を案内するガイド部材を設けたことを特徴とする請求項１に記載の乗客コンベア。
【発明の詳細な説明】
【技術分野】
【０００１】
本発明は、乗客コンベアに関する。
【背景技術】
【０００２】
本技術分野の背景技術として、特開２０１３−１１９４４４号公報（特許文献１）および特開２０１３−２０３５０６号公報（特許文献２）がある。この特許文献１には、移動手摺が取り付けられる手摺レールの一部に設けられた可撓性ガイド部を所定荷重で押圧して移動手摺の張力を調整する乗客コンベアの移動手摺の張力調整器具であって、一端部が押し上げられたときに他端部が押し下げられるように、乗客コンベアに対して回動可能に取り付けるための取り付け部を有する操作軸と、一端部が操作軸の他端部に回動可能に接続され、他端部が可撓性ガイド部に当接して可撓性ガイド部を押し下げる押下部と、押下部に取り付けられた荷重計測手段と、押下部の押し下げ位置を保持するための保持手段とを備えたものが記載されている。
【０００３】
また特許文献２には、乗降口付近に誘導柵を備えた乗客コンベアにおいて、前記誘導柵は、前記誘導柵と前記乗客コンベアのハンドレールとの間に形成される領域に異物が挟まれた場合に、前記乗客コンベアの床面から前記誘導柵の上端までの高さを維持したまま、前記誘導柵の全部もしくは一部が前記ハンドレールから離れる方向に水平移動することによって前記挟まれ領域を拡大する誘導柵変位部を有するものが記載されている。
【先行技術文献】
【特許文献】
【０００４】
【特許文献１】特開２０１３−１１９４４４号公報
【特許文献２】特開２０１３−２０３５０６号公報
【発明の概要】
【発明が解決しようとする課題】
【０００５】
上述した特許文献１及び、特許文献２に記載された乗客コンベアいずれも、摺動関係にあるハンドレール側からハンドレールガイド側に通常時よりも大きな面圧が掛かった場合におけるハンドレールの異常摩耗が発生する。
【０００６】
そこで、本発明は、ハンドレール側からハンドレールガイドに大きな押圧力が発生しても、ハンドレールに異常磨耗を生じることがないようにした乗客コンベアを提供する。
【課題を解決するための手段】
【０００７】
上記課題の少なくとも一を解決するために、本発明の一態様は、建造物に設置される支持フレームと、上下階の乗降口間で前記支持フレーム内を循環移動する無端状に連結された複数のステップと、各ステップにおける幅方向の両側に配置された一対の欄干パネルと、各欄干パネルの周縁に設けたハンドレールガイドと、ハンドレールガイドに沿って配置されて前記ステップと同期して移動するハンドレールを備えた乗客コンベアは。ハンドレールガイドの折り返し部であるターミナル部近傍に、ハンドレールからハンドレールガイドに対して定常時よりも大きな押し圧力が作用したときに変位する変位部を設け、押し圧力による変位部の変位によって前記定常時よりも大きな押し圧力を吸収する。
【発明の効果】
【０００８】
本発明の一態様である乗客コンベアによれば、ハンドレールの異常張力が発生してハンドレールガイドに大きな押圧力が発生しても、異常磨耗を生じることがない。なお、上述した以外の課題、構成および効果は、以下の実施形態の説明により明らかにされる。
【図面の簡単な説明】
【０００９】
【図１】本発明の一実施例による乗客コンベアの概略構成図である。
【図２】図１に示した乗客コンベアの要部である上部ターミナル部を示す拡大図である。
【図３】図２に示した上部ターミナル部の断面図である。
【図４】図２に示した上部ターミナル部の下部を断面して示す正面図である。
【図５】本発明の他の実施例による乗客コンベアにおける上部ターミナル部の下部を断面して示す正面図である。
【発明を実施するための形態】
【００１０】
以下、本発明の実施例を図面に基づいて説明する。
【実施例１】
【００１１】
図１は、本発明の一実施例による乗客コンベアの概略構成を示す側面図である。
【００１２】
乗客コンベアは、建造物に設置される支持フレーム１と、上下階の乗降口間で支持フレーム１内を循環移動する無端状に連結された図示しない複数のステップと、各ステップにおける幅方向の両側に配置された一対の欄干パネル２と、各欄干パネル２の周縁に沿ってステップと同期して移動するハンドレール３を主要な構成として備えている。上下階の乗降口近傍には、ハンドレール３を折り返す構成となった上部ターミナル部４および下部ターミナル部５が形成されている。
【００１３】
図２および図３は、上述した上部ターミナル部４の拡大図および断面図である。
【００１４】
欄干パネル２の外周側には、ハンドレールフレーム６が固定され、このハンドレールフレーム６の外周側にハンドレールガイド７が固定され、このハンドレールガイド７の外周面に沿ってハンドレール３が移動するように配置されている。
【００１５】
上部ターミナル部４における欄干パネル２は、ハンドレール３の折り返し側に位置した曲面部を水平方向に移動可能な非固定側欄干パネル２Ａと、曲面部２Ａの反折り返し側に位置した部分を固定構造とした固定側欄干パネル２Ｂとに分割して構成されている。欄干パネル２の外周側に位置したハンドレールフレーム６も、非固定側欄干パネル２Ａおよび固定側欄干パネル２Ｂに合わせて非固定側ハンドレールフレーム６Ａと固定側ハンドレールフレーム６Ｂとに分割されて構成されている。同様に、ハンドレールガイド７も、ハンドレールフレーム６に合わせて非固定側ハンドレールガイド７Ａと固定側ハンドレールガイド７Ｂとに分割されて構成されている。
【００１６】
非固定側欄干パネル２Ａ、非固定側ハンドレールフレーム６Ａおよび非固定側ハンドレールガイド７Ａと、固定側欄干パネル２Ｂ、固定側ハンドレールフレーム６Ｂおよび非固定側ハンドレールガイド７Ｂの対向部間には、ハンドレール３からハンドレールガイド７側に対して定常時よりも大きな押し圧力が作用したとき、水平方向に変位する変位部８がほぼ鉛直に配置されている。変位部８は、水平方向に変位可能なばねやゴムなどの弾性体によって構成したり、それらの弾性体を一部に使用して構成されている。
【００１７】
図４は、上述した非固定側欄干パネル２Ａまたは非固定側ハンドレールフレーム６Ａの下部支持構造を示す断面図である。
【００１８】
非固定側欄干パネル２Ａまたは非固定側ハンドレールフレーム６Ａの下方部は、近傍に存在する固定部材に取り付けたガイド部材９に形成された凹部内に嵌め込まれ、ガイド部材９の凹部内に配置された摺動材１０に載せられている。こうして非固定側ハンドレールフレーム６Ａは、摺動材１０に沿って水平方向に移動可能に支持されている。しかし定常状態で、非固定側欄干パネル２Ａまたは非固定側ハンドレールフレーム６Ａは、図４に示したガイド部材９に形成された凹部内へ下方部が嵌め込まれ、また、図２および図３に示したハンドレール３がハンドレールガイド７と嵌め合っているため、望ましい状態に保持されている。
【００１９】
ところで、ハンドレール３に異常張力が発生したり、走行抵抗が増大したり、縮みが発生したりすると、ハンドレールガイド７に対して定常時よりも大きな押し圧力が作用する。この状態が放置されると、ハンドレール３が異常に磨耗してしまう。しかし、このような状態が発生したとき、ハンドレール３からハンドレールガイド７に対して定常時よりも大きな押し圧力によって、非固定側欄干パネル２Ａおよび非固定側ハンドレールフレーム６Ａが水平方向に押圧される。従って、非固定側欄干パネル２Ａおよび非固定側ハンドレールフレーム６Ａは、変位部８を変位させながら同水平方向に移動することになる。
【００２０】
しかも、ターミナル部の近傍で効果的に吸収できるので、非常に効果的にハンドレール３からハンドレールガイド７に対して作用する定常時よりも大きな押し圧力を吸収することができる。
【００２１】
このとき、非固定側欄干パネル２Ａおよび非固定側ハンドレールフレーム６Ａの移動は、図４に示した非固定側欄干パネル２Ａまたは非固定側ハンドレールフレーム６Ａの下方部がガイド部材９の凹部内に沿って行われ、しかも、凹部内に配置された摺動材１０に沿って円滑に移動する。このため、ハンドレールガイド７に対して定常時よりも大きな押し圧力が作用したとき速やかに吸収され、ハンドレール３の異常摩耗とはならない。
【実施例２】
【００２２】
図５は、本発明の他の実施例における乗客コンベアの要部、つまり非固定側欄干パネル２Ａまたは非固定側ハンドレールフレーム６Ａの下部支持構造を示す断面図である。
【００２３】
非固定側欄干パネル２Ａまたは非固定側ハンドレールフレーム６Ａの下方部には、取付金具１２を利用してローラ１１が可回転的に取り付けられている。このローラ１１の下部には、近傍に位置した適当な固定部材に固定されたレール状のガイド部材１３がローラ１１の回転方向に延びて設けられている。
【００２４】
従って、ハンドレール３からハンドレールガイド７に対して定常時よりも大きな押し圧力が作用すると、非固定側欄干パネル２Ａおよび非固定側ハンドレールフレーム６Ａは、変位部８を変位させながら同水平方向に移動することになる。
【００２５】
このとき、非固定側欄干パネル２Ａおよび非固定側ハンドレールフレーム６Ａの移動は、図５に示したガイド部材１３に沿って同方向に円滑に行われる。このため、ハンドレールガイド７に対して定常時よりも大きな押し圧力が作用したとき速やかに吸収され、ハンドレール３の異常摩耗とはならない。
【００２６】
上述した各実施例では、上部ターミナル部４近傍において、ハンドレール３からハンドレールガイド７に対して定常時よりも大きな押し圧力が作用したときに、この押し圧力によって変位する変位部８を設けているため、上部ターミナル部４における曲面部で効率的に吸収することができる。また本発明の実施に際しては、上部ターミナル部４、下部ターミナル部５のいずれか一方、または両方に変位部８を配置することができる。
【００２７】
ターミナル部近傍におけるより具体的な構成として、欄干パネル２は、ハンドレール３の折り返し側に位置した曲面部を水平方向に移動可能な非固定側欄干パネル２Ａと、非固定側欄干パネル２Ａの反折り返し側に位置した部分を固定構造とした固定側欄干パネル２Ｂとに分割し、これに合わせてハンドレールフレーム６やハンドレールガイド７も、非固定側ハンドレールフレーム６Ａと固定側ハンドレールフレーム６Ｂ、非固定側ハンドレールガイド７Ａと固定側ハンドレールガイド７Ｂとに分割している。このようにして形成された非固定側欄干パネル２Ａと、固定側欄干パネル２Ｂの対向部間には、ハンドレール３からハンドレールガイド７に対して定常時よりも大きな押し圧力が作用したとき水平方向に変位する変位部８を容易に配置することができる。
【００２８】
また、欄干パネル２、ハンドレール３、ハンドレールガイド７における基本的な構成を変えることなく、ハンドレール３からハンドレールガイド７に対して定常時よりも大きな押し圧力が作用すると、変位部８を弾性変位させながら非固定側欄干パネル２Ａおよび非固定側ハンドレールフレーム６Ａを移動させて吸収することができ、ハンドレール３の異常摩耗を防止することができる。
【００２９】
しかし、本発明の実施に際しては、ハンドレール３からハンドレールガイド７に対して定常時よりも大きな押し圧力が作用したとき、ターミナル部近傍において、この押し圧力で変位部８を弾性変位させて吸収する構成を有していれば良く、変位部８の構成や、変位部８の位置については実施例に限定されずに採用することができる。
【００３０】
以上説明したように本実施例は、ターミナル部に近傍に、ハンドレール３からハンドレールガイド７側に対して定常時よりも大きな押し圧力が作用したときに変位する変位部８を設け、押し圧力による変位部８の変位によって定常時よりも大きな押し圧力を吸収するようにした。
【００３１】
このような構成によれば、ハンドレール３に異常張力が発生したり、走行抵抗が異常増大したり、異常縮みが発生したりして、ハンドレール３からハンドレールガイド７に対して定常時よりも大きな押し圧力が作用すると、ターミナル部の構成を活用して効果的に変位部８を変位させながら、非固定側欄干パネル２Ａおよび非固定側ハンドレールフレーム６Ａを移動させて吸収することができ、ハンドレール３の異常摩耗を防止することができる。
【００３２】
尚、本発明は、上述した実施例に限定するものではなく、様々な変形例が含まれる。例えば、上述した実施例は本発明を分かり易く説明するために詳細に説明したものであり、必ずしも説明した全ての構成を備えるものに限定するものではない。またある実施例の構成の一部を他の実施例の構成に置き換えることが可能であり、また、ある実施例の構成に他の実施例の構成を加えることも可能である。また、各実施例の構成の一部について、他の構成の追加、削除、置換をすることが可能である。
【符号の説明】
【００３３】
１    支持フレーム
２    欄干パネル
２Ａ  非固定側欄干パネル
２Ｂ  固定側欄干パネル
３    ハンドレール
４，５  ターミナル部
６    ハンドレールフレーム
６Ａ  非固定側ハンドレールフレーム
６Ｂ  固定側ハンドレールフレーム
７    ハンドレールガイド
８    変位部
９，１３  ガイド部材
【図１】
2018012552.tif 000003
【図２】
2018012552.tif 000004
【図３】
2018012552.tif 000005
【図４】
2018012552.tif 000006
【図５】
2018012552.tif 000007